(57)【要約】本発明の目的は、浄水機能及び／又は製氷機能を有するおしぼり製造機を提供することである。本おしぼり製造機は、装置ケース（８）内に、多数の機能を有する。この機能として、水供給部と、供給される水を浄水するフィルタ部（６）と、浄水した水を貯蔵する水貯蔵タンクと、水貯蔵タンクに貯蔵された水を冷却又は加熱させるための冷却及び加熱部と、タオルを供給するタオル供給部と、供給されたタオルを一定の長さに切断するタオル裁断部と、水貯蔵タンク内の水を裁断されたタオルに噴射する水噴射部（２６）と、水が吸入されたタオルを外部に吐き出すおしぼり供給部（３４）と、冷却及び加熱部を通過した水が排出される飲料水供給弁（３６）と、各構成要素を制御するための制御部（３０）とを有する。装置ケース（８）の前面には操作部（３２）が設けられる。
2004524913.tif 000002
【特許請求の範囲】
【請求項１】
装置ケースの一面に供給される第１水源に、パイプ等の連結手段で接続され、水が供給される第ｌ水供給部と、
装置ケースの上部に設置され、第２水源として使用される飲料水容器から水が供給される第２水供給部と、
前記第１水源又は第２水源から装置へ、選択的に水を供給することが可能な水供給部と、
前記第１水源及び／又は第２水源から供給される水を浄水するためのフィルタ部と、
前記フィルタ部を経由して供給される第２水源の水が貯蔵される飲料水貯蔵部と、前記第１水源からの水が貯蔵されるおしぼり製造水貯蔵部とに内部が分けられた水貯蔵タンクと、
前記飲料水貯蔵部と前記おしぼり製造水貯蔵部に貯蔵された水を、それぞれ冷却又は加熱させるための、飲料水冷却及び／又は加熱部と、おしぼり製造水冷却及び／又は加熱部と、
タオルを供給するタオル供給部と、
供給された前記タオルを所定の長さに切断するタオル裁断部と、
前記おしぼり製造水冷却及び／又は加熱部を通過した水を、裁断された前記タオルに噴射する水噴射部と、
水を吸収した前記タオルを外部に吐き出すおしぼり供給部と、
前記飲料水冷却及び／又は加熱部を通過した水が排出される飲料水供給弁と、
前記各構成要素を制御するための制御部とが装置ケース内に設置され、
前記装置ケースの前面には、操作部が設けられることを特徴とする浄水器付おしぼり製造機。
【請求項２】
前記飲料水貯蔵部に貯蔵された水から、氷を作って供給することが可能な製氷部をさらに含むことを特徴とする請求項１に記載の浄水器付おしぼり製造機。
【発明の詳細な説明】
【技術分野】
【０００１】
本発明は、浄水器付のおしぼり製造機に係り、より詳細には、浄水及び／又は製氷などの様々の機能を有し、経済的で便利な、また衛生的な、機能ごとに水源が区別されたおしぼり製造機に関する。
【背景技術】
【０００２】
浄水器が組み合わされたおしぼり製造機、詳細には、浄水及び製氷などの様々な機能を有するおしぼり製造機の、背景技術を下記に示す。
【０００３】
飲食店にて、飲料水と共におしぼりが提供されることは、一般化しつつある。おしぼりのタオルは、綿またはティシュである。綿のタオルは、洗浄して再度使用することが可能である。また、ティッシュは、紙からなるものと不織布からなるものに分けられる。以下では、これらの素材を区別せずにいずれも「おしぼり」と呼ぶ。
【０００４】
このような、おしぼりを製造するおしぼり製造機は、前記紙又は不織布などのタオルを自動切断して、水をつけた後供給する機械であって、飲食店、航空機内又は宿泊業所などで広く用いられている。
一方、浄水器については、２つのタイプがある。１つは、蛇口に連結されて水道水が水源となるタイプのものである。他の１つは、ボトルに詰められた水を水源とするものである。一般に、ボトルに詰められた水は、水道水より清潔であるとされているので、飲食店をはじめ広く利用されている。
また、飲食店で必要な氷は、室内の一定の空間を占めている製氷器または冷蔵庫で作られ、調理あるいはお客様に提供されている。
【０００５】
飲食店では、このように、製氷器または冷蔵庫、浄水器及びおしぼり製造機を別々に購入して設置し、氷、飲料水、おしぼりの供給に使用しているのが実情である。このことは、顧客の立場から見ると、製氷器または冷蔵庫、浄水器そしておしぼり製造機の個別購入は費用がかさむ上に、顧客に提供されるべき飲食店の空間が狭くなるという問題点があった。
【発明の開示】
【発明が解決しようとする課題】
【０００６】
本発明は、かかる問題点な解決するためのもので、その目的は、製氷機能及び浄水機能など様々な機能を持つ、おしぼり製造機を提供することにある。
本発明の他の目的は、このような装置で、それぞれの機能に使用される水源を用途に合わせて分離することにより、衛生的で経済的な装置を提供することにある。
【課題を解決するための手段】
【０００７】
上記目的は、浄水機能の付いたおしぼり製造機によって達成される。このおしぼり製造機は、
装置ケースの一面に供給される、水道の蛇口に連結されたパイプから供給される水道水、または装置ケースの上部の面に設置される飲料水容器の水のいずれかを、選択的に供給できる水供給部と、
飲料水容器の水を浄水するフィルタ部、及び水道水を浄水しておしぼりに使用するフィルタ部と、
飲料水容器からの水がフィルタ部を経由して貯蔵される飲料水貯蔵部と、水道からの水がフィルタ部を経由して貯蔵されるおしぼり製造水貯蔵部とに、内部が分けられている水貯蔵タンクと、
前記飲料水貯蔵部と前記おしぼり製造水貯蔵部に貯蔵された水を、それぞれ冷却又は加熱させるための、飲料水冷却及び／又は加熱部と、おしぼり製造水冷却及び／又は加熱部と、
不織布又はティッシュからなる渦巻き状タオルを供給するタオル供給部と、
供給されたタオルを所定の長さに切断するタオル裁断部と、
冷却及び／又は加熱部を通過させたおしぼり製造水を、裁断されたタオルに噴射する水噴射部と、
水を吸収したタオルを外部に吐き出すおしぼり供給部と、
冷却及び／又は加熱部を通過した飲料水が排出される飲料水供給弁とを含み、
前記各構成要素を制御するための制御部が設置され、装置ケースの一面には操作部が設けられる。
【０００８】
本発明の他の特徴によれば、飲料水貯蔵部に連結され、水の供給を受けて氷を作り供給することが可能な製氷部をさらに含む。
【発明の効果】
【０００９】
本発明によれば、浄水機能及び／又は製氷機能を有する、使い勝手が良く便利な、おしぼり製造機を提供できる。また、これまでのように別々に装置を購入する必要がないので、経費を節約することができる。
【００１０】
加えて、この装置は大きな空間を占有しないので、空間の有効活用ができる。また、市販のボトルに詰められた飲料水を、本装置の飲料水に使用することができる。また、おしぼりの製造に水道から供給された水を使用することができる。衛生的かつ所望の温度での水の供給は、顧客サービスの質を向上させることができる。
【発明を実施するための最良の形態】
【００１１】
以下、本発明の好ましい実施例を図面を参照して説明する。これにより、発明の前記目的及び他の目的、さらには特徴及びその他の利点が明確になる。
【実施例１】
【００１２】
図ｌは、本発明の好適な実施例による、おしぼり製造機の断面図である。図２は本発明の好適な実施例に係るおしぼり製造機のおしぼり製作部を示す断面図である。なお、図面においては、同一の機能及び構成を有する構成要素については、同一符号を付している。
【００１３】
図に示すように、水供給部は２つのルートから水を供給するが、その一つは水道などの第ｌ水源に連結されたパイプ２によって供給するものであり、もう一つは飲料水容器４の第２水源から供給するものである。水道などの第ｌ水源に連結されたパイブを通過した水は水タンク６に流入するが、選択的に浄水過程を経ることができる。装置ケース８の上面には、飲料水容器４の第２水源を設置することが可能な台座ｌ０が設けられる。
【００１４】
第２水源は、第ｌ水源とは異なり、例えば販売されている水であって、一定の殺菌、加工処理が施されているもの、あるいは、直接飲料可能な市販の飲料水を使用する。
【００１５】
第２水源としての飲料水容器４の水は、フィルタリング部を経由して水貯蔵タンク６内に流入する。水を浄水するシステムは、重要なものであって、様々な方式の浄水システムを採用することができる。本実施例によれば、紫外線殺菌消毒器ｌ２が導入されている。このような浄水システムを経由した水は、おしぼりの水にも使用することができ、ポンプｌ４によって圧送されて水貯蔵タンク内に貯蔵される。
【００１６】
水貯蔵タンク６は、飲料水貯蔵部とおしぼり製造水貯蔵部とに分けられるが、飲料水貯蔵部の水は第２水源から、おしぼり製造水貯蔵部の水は第ｌ水源からそれぞれ供給される。
【００１７】
一方、水貯蔵タンク６の内部には、レベルゲージ（ｌｅｖｅｌ  ｇａｕｇｅ）が設置され、水を適正量貯蔵できるようにしている。水が適正量以上に貯蔵されると、レベルゲージは電気信号を送って、ポンプｌ４及びソレノイドバノレブｌ６を停止させる。一定量以下に水が減少すると、ポンプ１４が再稼動され、水が補充される。
【００１８】
また、水タンク６の飲料水貯蔵部とおしぼり製造水貯蔵部内には、冷水が格納されている。これら貯蔵部の冷水は、それぞれ飲料水冷却及び／又は加熱部と、おしぼり製造水冷却及び／又は加熱部によって加熱された後に、内部が飲料水用とおしぼり用に分離された温水筒７に格納される。この温水筒７は、水貯蔵タンク６の下方に設置される。
【００１９】
飲料水冷却及び／又は加熱部と、おしぼり製造水冷却及び／又は加熱部は、水貯蔵タンク６の飲料水貯蔵部と、おしぼり製造水貯蔵部に貯蔵された水をそれぞれ冷却又は加熱させる手段であって、一般的な冷凍システムと電熱ヒ−タから構成される。水の使用用途によって加熱温度及び冷却温度が異なるので、これによる温度調節手段が提供される。おしぼりに噴射される水の温度は、操作部３２（図３参照）によって使用者が設定することができる。
【００２０】
図２に示すように、おしぼり製造用タオルを供給するタオル供給部は、タオルｌ８を保持するタオルケース２０、及び、タオルを回転させて引き出すための駆動装置２２から構成される。
【００２１】
タオルを所定の長さに切断するタオル裁断部は、駆動装置の下方に、タオル巻き装置２４と共に設置される。裁断されたタオルに、水を噴射するノズルを有する水噴射装置２６が提供される。水噴射装置２６の水は、水貯蔵タンク６のおしぼり製造水貯蔵部から供給される。タオル巻き装置２４によって、丸く折り畳まれた濡れタオルは、おしぼり排出口３４（図３参照）から排出される。タオル巻き装置２４とおしぼり排出口３４は、おしぼり供給部を構成する要素である。
【００２２】
タオルｌ８は、不織布又は紙などの材質からなり、渦巻き形の状態で、タオル収容ケース２０にセットされ、回転可能に保持される。利用者はタオルの切断長を設定することができる。濡れタオルは、タオル巻き装置２４によって丸く折り畳まれた状態で排出される。このような構成は、従来のおしぼり製造機が一般的にもつ構成なので、詳細な説明及び図示は省略する。
【００２３】
氷を作るための製氷部２８を設置することができるが、これは前述した水貯蔵タンク６の飲料水貯蔵部の水を用いる。氷は、１０ｍｍ前後の大きさに粉砕された状態でｌ回に一定量ずつ供給されることが好ましい。製氷部によって作られた氷は、氷貯蔵タンクに保管され、制御部３０の信号によって、一定量ずつ供給される。
【００２４】
水の温度調節と、おしぼりの製造と飲料水の供給及び製氷に必要な水の供給を制御する制御部３０が提供される。この制御部は、マイクロコンピュータを主な構成要素とし、制御回路から構成される。小容量のポンプ及びソレノイドバルブは、水を各部位に供給するための手段で、それぞれの構成要素を連結するパイプライン上に設置され、制御部３０の信号によって動作する。
【００２５】
図３は、本発明の好適な実施例に係るおしぼり製造機の斜視図である。
操作部３２、おしぼり排出口３４、及び、飲料水供給用の飲料水供給弁３６が装置ケ−ス８の上方一側にそれぞれ設置される。その下方には、水供給用の水排出口３８が設けられる。装置ケース８は、利用者が立った状態で使用できる適切な高さを有する。水の温度、水切れ、タオル切れなどを表示することが可能なデジタル方式の表示部４０が設けられる。
【００２６】
利用者は、操作パネル３２によって水の温度を設定することができ、おしぼりの長さを調整することもできる。飲料水供給弁３６は、一般的な浄水器で使用されるタイプであって、冷温水のために２つ提供され、コップを入れることが可能な凹形スペース４２内に設置される。凹形スペース４２の低部には、コンテナ４４が設置され、あふれた水を受けられるようになっている。装置ケース８の上面には、前述の飲料水容器ｌ０及びタオルｌ８を入れるための蓋４６が設置される。
【産業上の利用可能性】
【００２７】
本発明の好適な実施例を例示的に説明したが、当業者であれば、特許請求の範囲に記載の技術的範囲から逸脱することなく、様々な変形、付加、及び、代替が可能である。例えば、上述した各構成要素の設置位置を変更することができ、飲料水容器を載せる位置を変えることができる。また、おしぼり供給用のおしぼり排出口と水排出口を一つの排出口に統合することもできる。また、おしぼりや氷をコインの投入によって取り出すことが可能な、自動販売機に適用することも可能である。
【図面の簡単な説明】
【００２８】
【図１】本発明の好適な実施例による、おしぼり製造機の浄水部を示す断面図である。（実施例１）
【図２】本発明の好適な実施例による、おしぼり製造機のおしぼり製造部を示す断面図である。（実施例１）
【図３】本発明の好適な実施例による、おしぼり製造機の斜視図である。（実施例１）
【図１】
2004524913.tif 000003
【図２】
2004524913.tif 000004
【図３】
2004524913.tif 000005
【国際公開パンフレット】
2004524913.tif 000006
2004524913.tif 000007
2004524913.tif 000008
2004524913.tif 000009
2004524913.tif 000010
2004524913.tif 000011
2004524913.tif 000012
2004524913.tif 000013
2004524913.tif 000014
2004524913.tif 000015
2004524913.tif 000016
2004524913.tif 000017
2004524913.tif 000018
2004524913.tif 000019
2004524913.tif 000020
【国際調査報告】
2004524913.tif 000021